(57)【要約】【課題】従来に比して一段と発汗による不快感を解消することができるベルトを提供する。【解決手段】裏材１１、中間材１２、表装材１３の積層構造とする。裏材１１は、貫通孔１５Ａの作製された芯材１５に吸湿速乾メッシュ生地１６を巻き付けて作製する。中間材１２は、裏材１１側にクッション材による芯材１７を配置し、表装材１３側には、吸湿速乾メッシュ生地２１を配置し、芯材１７には、ベルト本体２の幅方向の中央に貫通孔１７Ａを設ける。表装材１３は、芯材１７の貫通孔１７Ａが作製された個所が表装材１３側で露出するように配置する。【選択図】図３
0003175378.tif 000002
【実用新案登録請求の範囲】
【請求項１】
順次、裏材、中間材、表装材を積層してベルト本体が作製されたベルトであって、
前記裏材は、
貫通孔の作製された芯材に吸湿速乾メッシュ生地を巻き付けて作製され、
前記中間材は、
前記裏材側に、弾性を有するクッション材による芯材が配置され、
前記中間材の前記芯材の表装材側には、吸湿速乾メッシュ生地が配置され、
前記中間材の前記芯材は、
前記ベルト本体の幅方向の中央に貫通孔が設けられ、
前記表装材は、
前記中間材の前記芯材の貫通孔が作製された個所が表装材側で露出するように配置されたベルト。
【請求項２】
前記表装材が、
前記幅方向の両端に配置される１対の帯状の部材である
請求項１に記載のベルト。
【考案の詳細な説明】
【技術分野】
【０００１】
本考案は、例えばズボン等に使用するウエスト用のベルト、時計用のベルト等の身体に装着して使用するベルトに関する。
【背景技術】
【０００２】
従来より、ウエスト用のベルト等の、身体に装着して使用するベルトに関して、発汗による不快感を解消する工夫が種々に提案されている。これらの提案のうち、例えば特開２００５−２１３６６０号公報には、吸湿層で吸着した汗を放湿層へ移行させて気化させる工夫が提案されている。
【先行技術文献】
【特許文献】
【０００３】
【特許文献１】特開２００５−２１３６６０号公報
【考案の概要】
【考案が解決しようとする課題】
【０００４】
ところでこの種のベルトでは、一段と発汗による不快感を解消できることが望まれる。
【０００５】
本考案は、以上の点を考慮してなされたもので、従来に比して一段と発汗による不快感を解消することができるベルトを提案することを目的とする。
【課題を解決するための手段】
【０００６】
本考案者らは、吸湿速乾メッシュ生地の特性を有効に利用して水分の滞留を防止するとの着想に至り、本考案を完成するに至った。
【０００７】
（１）  順次、裏材、中間材、表装材を積層してベルト本体が作製されたベルトであって、
前記裏材は、
貫通孔の作製された芯材に吸湿速乾メッシュ生地を巻き付けて作製され、
前記中間材は、
前記裏材側に、弾性を有するクッション材による芯材が配置され、
前記中間材の前記芯材の表装材側には、吸湿速乾メッシュ生地が配置され、
前記中間材の前記芯材は、
前記ベルト本体の幅方向の中央に貫通孔が設けられ、
前記表装材は、
前記中間材の前記芯材の貫通孔が作製された個所が表装材側で露出するように配置される。
【０００８】
（１）によれば、裏材の吸湿速乾メッシュ生地及び裏材の貫通孔を介して、裏材の裏面側における水分を中間材に迅速かつ効率良く搬送することができる。さらにこの中間材に搬送した水分を、中間材の貫通孔を介して、さらには中間財に係る芯材を介して、中間材の表装面側に迅速かつ効率良く搬送して蒸発させることができる。その結果、裏材の裏面側における汗等の滞留を従来に比して格段的に低減し、この汗等の滞留よって発生する発汗による不快感を従来に比して一段と解消することができる。
【０００９】
（２）  （１）において、
前記表装材が、
前記幅方向の両端に配置される１対の帯状の部材である。
【００１０】
（２）によれば、貫通孔が設けられている中間材の中央部分は露出するようにして水分の蒸発を妨げないようにし、かつ中間材に設けられた吸湿速乾メッシュ生地を保護することができ、これらによりベルト本体を保護して不快感を解消することができる。
【考案の効果】
【００１１】
本考案によれば、従来に比して一段と発汗による不快感を解消することができる。
【図面の簡単な説明】
【００１２】
【図１】本考案のベルトを示す図である。
【図２】図１のベルトにおけるベルト本体の断面図である。
【図３】図１のベルトにおけるベルト本体の分解斜視図である。
【考案を実施するための形態】
【００１３】
以下、本考案の実施形態について説明する。
【００１４】
〔第１実施形態〕
図１は、本考案のベルトを示す斜視図である。このベルト１は、ズボンに使用するウエスト用のベルトであり、帯状に形成されたベルト本体２の一端に金具３が設けられ、この金具３にベルト本体２の他端を保持して装着される。
【００１５】
ここで図２は、Ａ−Ａ線により断面を取って示すベルト本体２の断面図であり、図３は、このベルト本体２の分解斜視図である。ベルト本体２は、人体側より順次、裏材１１、中間材１２、表装材１３を積層した後、これらを一体に縫製して作製される。ここで裏材１１は、ベルト本体２の基材であり、ベルト本体２の幅により作製される帯状の部材である。
【００１６】
裏材１１は、芯材１５に吸湿速乾メッシュ生地１６を巻き付けて作製される。ここで吸湿速乾メッシュ生地１６は、吸湿速乾性の繊維により作製されたメッシュ生地である。またこの実施形態において、吸湿速乾性の繊維とは、繊維の延長する方向に延長するスジ状の凹凸が表面に作製されており、この凹凸による毛管現象により水分を効率良く搬送することができ、さらにはこの搬送した水分を効率良く乾燥させることができる合成繊維である。この実施形態では、吸湿速乾メッシュ生地１６に、クールマックス（登録商標）が適用される。これによりベルト本体２では、この裏材１１の裏面側に係る発汗等による水分を迅速かつ効率良く中間材１２側に搬送し、発汗に係る水分の裏面側における滞留を低減する。
【００１７】
芯材１５は、弾性を有する帯状部材であり、例えば人造皮革材が適用される。これによりベルト本体２は、適切な弾性を確保する。さらに芯材１５は、一定のピッチにより貫通孔１５Ａが設けられたパンチング材が適用される。これによりこのベルト１では、この貫通孔１５Ａにより通気性を高め、一段と迅速かつ効率良く裏面側に係る発汗等による水分を中間材１２側に搬送し、発汗に係る水分の裏面側における滞留を低減する。
【００１８】
中間材１２は、弾性を有する帯状部材によるクッション材により芯材１７が作製される。すなわち芯材１７は、一定の厚みによる発泡ポリウレタンによるシート材１８、１９、２０を、順次、積層して、幅方向のほぼ中央で最も厚みが厚くなるように作製され、これによりクッション性、通気性、湿気の拡散性を確保する。またさらに芯材１７は、中央に一定のピッチにより貫通孔１７Ａが設けられ、これによりベルト１は、一段と通気性が確保される。
【００１９】
中間材１２は、この芯材１７の表側面を覆うように、吸湿速乾メッシュ生地２１が配置される。ここでこの吸湿速乾メッシュ生地２１は、裏材１１の吸湿速乾メッシュ生地１６と同一の材料が適用される。
【００２０】
表装材１３は、ベルト本体２の幅方向の両端にそれぞれ配置される１対の帯状部材であり、例えば人造皮革によるシート材が適用される。これにより表装材１３は、貫通孔１７Ａが設けられている中間材１２の中央部分は露出させつつ、中間材１２に設けられた吸湿速乾メッシュ生地２１を保護するようにしてベルト本体２を保護する。
【００２１】
これらによりこのベルト１では、裏材１１の吸湿速乾メッシュ生地１６及び裏材１１の貫通孔１５Ａを介して、裏材１１の裏面側における水分を中間材１２に迅速かつ効率良く搬送する。またこの中間材１２に搬送した水分を、貫通孔１７Ａを介して、さらには芯材１７を介して、中間材１２の表装面側に迅速かつ効率良く搬送して蒸発させる。その結果、裏材１１の裏面側における汗等の滞留を従来に比して格段的に低減し、この汗等の滞留よって発生する発汗による不快感を従来に比し一段と解消することができる。
【００２２】
また表装材１３を１対の帯状部材として、ベルト本体２の幅方向の両端に配置することにより、貫通孔１７Ａが設けられている中間材１２の中央部分は露出させて水分の蒸発を妨げないようにし、かつ中間材１２に設けられた吸湿速乾メッシュ生地２１を保護することができ、これらによりベルト本体２を保護して不快感を解消することができる。
【００２３】
〔他の実施形態〕
以上、本考案の実施に好適な具体的な構成を詳述したが、本考案は、本考案の趣旨を逸脱しない範囲で、上述の実施形態の構成を種々に変更することができる。
【００２４】
すなわち上述の実施形態では、表装材、芯材に人造皮革を適用する場合について述べたが、本考案はこれに限らず、これらの何れか又は双方に天然皮革を適用しても良く、さらには強度を確保可能な各種の材料を広く適用することができる。
【００２５】
また上述の実施形態では、本考案をズボンのベルトに適用する場合について述べたが、本考案はこれに限らず、婦人服のベルトに適用しても良く、さらには各種作業用衣料品のベルト、作業用のベルト、腕時計のベルト等に広く適用することができる。
【符号の説明】
【００２６】
１  ベルト
２  ベルト本体
３  金具
１１  裏材
１２  中間材
１３  表装材
１５、１７  芯材
１５Ａ、１７Ａ  貫通孔
１６、２１  吸湿速乾メッシュ生地
１８、１９、２０  シート材
【図１】
0003175378.tif 000003
【図２】
0003175378.tif 000004
【図３】
0003175378.tif 000005